(57)【要約】【課題】ガイドピン挿入穴やファイバ挿入穴の抵抗（嵌合力）を検査する際の作業の容易化を図ると共に、検査精度を向上させる。【解決手段】光コネクタの挿入穴検査装置１０は、光コネクタを保持する光コネクタ保持部３０を有する。このため、ガイドピン挿入穴やファイバ挿入穴の抵抗（嵌合力）を検査する際の作業の容易化を図ることができる。また、光コネクタ保持部３０によって安定した姿勢で保持でき、さらに、一旦、ウエイト部材保持部５０でウエイト部材４０を支持させた後、該ウエイト部材保持部５０をウエイト部材４０から離間させる構成であるため、ウエイト部材４０の吊り下げ時の揺動がほとんどなく、嵌合力の検査精度を向上させることができる。【選択図】　　図３
2004144619.tif 000002
【特許請求の範囲】
【請求項１】
光コネクタに形成されるガイドピン用の挿入穴又は光ファイバ用の挿入穴を検査する光コネクタの挿入穴検査装置であって、
検査対象となる光コネクタを、挿入穴の開口端を下方に向けた状態で保持可能な光コネクタ保持部と、
前記光コネクタの挿入穴に挿入される検査用のゲージピンを備えたウエイト部材と、
前記ウエイト部材を支持可能なウエイト部材用支持部と、
前記ウエイト部材用支持部をウエイト部材に離接させる作動部と
を具備し、
前記ゲージピンを前記検査対象となる光コネクタの挿入穴に挿入した状態で、前記ウエイト部材用支持部をウエイト部材から離間させ、所定重量に設定された前記ウエイト部材に対し、前記ゲージピンが挿入穴から離脱するか否かを判定して検査することを特徴とする光コネクタの挿入穴検査装置。
【請求項２】
前記光コネクタ保持部は、基台から上方に突出する支柱部によって支持され、前記ウエイト部材用支持部の上方位置に向かって水平に延びるアーム部材を有してなると共に、該アーム部材の前端から切り込まれたスリットを備え、該スリット内に挿入穴の開口端を下方に向けた状態で前記光コネクタを挿入し、保持可能であることを特徴とする請求項１記載の光コネクタの挿入穴検査装置。
【請求項３】
前記ゲージピンが、前記ウエイト部材の中心位置から上方に向かって垂直に突設されていることを特徴とする請求項１又は２記載の光コネクタの挿入穴検査装置。
【請求項４】
前記ウエイト部材が、中心線に沿って配置される軸体と、該軸体の周囲に着脱可能に配設される少なくとも一つの円筒状ウエイトとを備え、前記軸体の上端中心位置に前記ゲージピンが突設されていることを特徴とする請求項３記載の光コネクタの挿入穴検査装置。
【請求項５】
前記軸体に対し、相対的に該軸体の下端から前記円筒状ウエイトを挿入可能に形成されていることを特徴とする請求項４記載の光コネクタの挿入穴検査装置。
【請求項６】
前記ウエイト部材用支持部は、基台に対して上下動可能に設けられた上下動軸と、該上下動軸によって支持され、上面が前記ウエイト部材の下面に接触可能な板状体とを有していることを特徴とする請求項１〜５のいずれか１に記載の光コネクタの挿入穴検査装置。
【請求項７】
前記ウエイト部材用支持部を構成する板状体に、その上面に突出するように設けられ、前記ウエイト部材を構成する円筒状ウエイトが当接することにより、前記光コネクタ保持部のアーム部材に形成されたスリット内で、検査対象である光コネクタが、該スリットの幅方向略中央部で位置決めされる位置決め部材を有することを特徴とする請求項４〜６のいずれか１に記載の光コネクタの挿入穴検査装置。
【請求項８】
前記作動部は、傾斜面を有すると共に、前記ウエイト部材用支持部を構成する板状体の下方に突出するように設けられる被動作体と、
前記被動作体の傾斜面に摺接可能な傾斜面を備え、略水平方向に動作することにより、傾斜面同士が摺接して、前記被動作体を上下動させる動作体と、
前記動作体を操作する操作部と
を有していることを特徴とする請求項６又は７記載の光コネクタの挿入穴検査装置。
【請求項９】
前記動作体は、前記基台に形成された案内溝に沿って前後方向に移動可能に設けられ、前記操作部は、一端が前記動作体に連結され、他端が前記基台の前方に突出するように設けられる連結棒を備えてなり、該連結棒を前後方向に動作させることによって、前記傾斜面同士の摺接により、前記被動作体を上下動させる構成であることを特徴とする請求項８記載の光コネクタの挿入穴検査装置。
【請求項１０】
前記傾斜面間に、粘性抵抗を発揮する油が塗布されていることを特徴とする請求項８又は９記載の光コネクタの挿入穴検査装置。
【発明の詳細な説明】
【０００１】
【発明の属する技術分野】
本発明は、光ファイバのコネクタ（光コネクタ）相互の突き合わせ接続の位置決めに用いられるガイドピンを挿入するガイドピン用の挿入穴（以下、「ガイドピン挿入穴」という）及び光ファイバが配置される光ファイバ用の挿入穴（以下、「ファイバ挿入穴」という）の検査装置に関する。なお、本明細書中、「光コネクタ」とは、光ファイバ同士間、光ファイバと基板間などにおいて、ガイドピンを介して光ファイバを接続するフェルールのほか、ガイドピンを用いて光ファイバ端面同士を接続できるものである限り、プラグなどと称されるものも含む意味である。
【０００２】
【従来の技術】
複数本の光ファイバを一括して接続する光コネクタとしては、図５に示したように、前端面に光ファイバの各端面を配置するファイバ挿入穴１００ａが、２つ、４つあるいはそれ以上貫通形成されたフェルール（あるいはプラグ）と呼ばれる光コネクタ（ＭＴ形光コネクタ）１００が用いられる。この光コネクタ１００は、対向する光ファイバの端面同士を容易に一致させることができるように、各側部付近に、軸方向に沿って形成されたガイドピン挿入穴１００ｂを備えており、少なくとも一方の光コネクタ１００に、前端面から一部が突出するようにガイドピン１１０を配置し、このガイドピン１１０を、対向する他方の光コネクタ１００に形成されたガイドピン挿入穴１００ｂに挿入することにより、光ファイバの端面同士を正確に一致させることができる構成となっている。
【０００３】
この際、一対の光コネクタ１００間に跨って挿入配置されるガイドピン１１０が各ガイドピン挿入穴１００ｂから容易に抜けてしまうようでは、ガイドピン挿入穴１００ｂとガイドピン１１０との間にガタが存在することになるため、光ファイバの端面同士の位置ずれ（接合誤差）が大きくなる。また、ガイドピン１１０を介して各光コネクタ１００を接合した後、各端部に係合片を備えたクリップ１２０を各光コネクタ１００の外側端部間に架け渡し、両者が容易に分離しないようにしているが、かかるクリップ１２０を配設するまでの間にガイドピン１１０がガイドピン挿入穴１１０ｂから容易に抜けてしまっては、接続作業を行い難い。逆に、ガイドピン挿入穴１１０ｂの径が小さい場合など、ガイドピン１１０を挿入し難い場合には、作業を行い難いし、無理して挿入した場合には、極めて高い外径精度で形成されているガイドピン１１０に曲がりが生じ、光ファイバ端面同士の接合誤差が大きくなるおそれがある。また、光ファイバを挿入配置するファイバ挿入穴１００ａも、挿入される光ファイバとの間に所定以上のガタがある場合には、光ファイバの端面同士の位置ずれ（接合誤差）が大きくなる。
【０００４】
このため、合成樹脂などから成型した光コネクタ１００のガイドピン挿入穴１００ｂ及びファイバ挿入穴１００ａは、ガイドピン１１０又は光ファイバを挿入するに当たって、緩すぎずかつきつすぎないように、ガイドピン１１０又は光ファイバを抜き差しする際の抵抗（嵌合力）が所定の範囲に収まっていることが必要となる。
【０００５】
【発明が解決しようとする課題】
従来、ガイドピン挿入穴又はファイバ挿入穴の上記した嵌合力は、検査対象となる光コネクタのガイドピン挿入穴又はファイバ挿入穴に、検査用のゲージピンを所定量挿入し、このゲージピンに所定重量のウエイト部材を吊り下げ支持させて検査している。例えば、直径０．７ｍｍのガイドピン挿入穴を検査する場合には、直径０．６９９０ｍｍ（直径精度±０．１μｍ）のゲージピンを使用し、５０ｇのウエイト部材と１００ｇのウエイト部材をそれぞれ吊り下げ、５０ｇのウエイト部材ではガイドピン挿入穴から抜けず、１００ｇのウエイト部材を吊り下げた場合にガイドピン挿入穴から抜けるような嵌合力が求められている。しかしながら、これらの測定は従来全て手作業で行っており、作業者が光コネクタを空中で保持し、その状態でウエイト部材を吊り下げていた。このため検査作業が面倒であった。また、上記した嵌合力は、光コネクタのガイドピン挿入穴やファイバ挿入穴に対して、ゲージピンが真っ直ぐ垂直に挿入されてウエイト部材が吊り下げられることにより正確な測定がなされるが、作業者の手作業によるため、光コネクタの保持姿勢が必ずしも一定とならず、検査作業の精度の点で改善の余地があった。
【０００６】
本発明は、上記事情に鑑みてなされたもので、ガイドピン挿入穴やファイバ挿入穴の抵抗（嵌合力）を検査する際の作業の容易化を図ることができると共に、嵌合力の検査精度を向上させることができる光コネクタの挿入穴検査装置を提供することを課題とする。
【０００７】
【課題を解決するための手段】
上記した課題を解決するため、請求項１記載の発明は、光コネクタに形成されるガイドピン用の挿入穴又は光ファイバ用の挿入穴を検査する光コネクタの挿入穴検査装置であって、
検査対象となる光コネクタを、挿入穴の開口端を下方に向けた状態で保持可能な光コネクタ保持部と、
前記光コネクタの挿入穴に挿入される検査用のゲージピンを備えたウエイト部材と、
前記ウエイト部材を支持可能なウエイト部材用支持部と、
前記ウエイト部材用支持部をウエイト部材に離接させる作動部と
を具備し、
前記ゲージピンを前記検査対象となる光コネクタの挿入穴に挿入した状態で、前記ウエイト部材用支持部をウエイト部材から離間させ、所定重量に設定された前記ウエイト部材に対し、前記ゲージピンが挿入穴から離脱するか否かを判定して検査することを特徴とする光コネクタの挿入穴検査装置を提供する。
請求項２記載の発明は、前記光コネクタ保持部は、基台から上方に突出する支柱部によって支持され、前記ウエイト部材用支持部の上方位置に向かって水平に延びるアーム部材を有してなると共に、該アーム部材の前端から切り込まれたスリットを備え、該スリット内に挿入穴の開口端を下方に向けた状態で前記光コネクタを挿入し、保持可能であることを特徴とする請求項１記載の光コネクタの挿入穴検査装置を提供する。
請求項３記載の発明は、前記ゲージピンが、前記ウエイト部材の中心位置から上方に向かって垂直に突設されていることを特徴とする請求項１又は２記載の光コネクタの挿入穴検査装置を提供する。
請求項４記載の発明は、前記ウエイト部材が、中心線に沿って配置される軸体と、該軸体の周囲に着脱可能に配設される少なくとも一つの円筒状ウエイトとを備え、前記軸体の上端中心位置に前記ゲージピンが突設されていることを特徴とする請求項３記載の光コネクタの挿入穴検査装置を提供する。
請求項５記載の発明は、前記軸体に対し、相対的に該軸体の下端から前記円筒状ウエイトを挿入可能に形成されていることを特徴とする請求項４記載の光コネクタの挿入穴検査装置を提供する。
請求項６記載の発明は、前記ウエイト部材用支持部は、基台に対して上下動可能に設けられた上下動軸と、該上下動軸によって支持され、上面が前記ウエイト部材の下面に接触可能な板状体とを有していることを特徴とする請求項１〜５のいずれか１に記載の光コネクタの挿入穴検査装置を提供する。
請求項７記載の発明は、前記ウエイト部材用支持部を構成する板状体に、その上面に突出するように設けられ、前記ウエイト部材を構成する円筒状ウエイトが当接することにより、前記光コネクタ保持部のアーム部材に形成されたスリット内で、検査対象である光コネクタが、該スリットの幅方向略中央部で位置決めされる位置決め部材を有することを特徴とする請求項４〜６のいずれか１に記載の光コネクタの挿入穴検査装置を提供する。
請求項８記載の発明は、前記作動部は、傾斜面を有すると共に、前記ウエイト部材用支持部を構成する板状体の下方に突出するように設けられる被動作体と、
前記被動作体の傾斜面に摺接可能な傾斜面を備え、略水平方向に動作することにより、傾斜面同士が摺接して、前記被動作体を上下動させる動作体と、
前記動作体を操作する操作部と
を有していることを特徴とする請求項６又は７記載の光コネクタの挿入穴検査装置を提供する。
請求項９記載の発明は、前記動作体は、前記基台に形成された案内溝に沿って前後方向に移動可能に設けられ、前記操作部は、一端が前記動作体に連結され、他端が前記基台の前方に突出するように設けられる連結棒を備えてなり、該連結棒を前後方向に動作させることによって、前記傾斜面同士の摺接により、前記被動作体を上下動させる構成であることを特徴とする請求項８記載の光コネクタの挿入穴検査装置を提供する。
請求項１０記載の発明は、前記傾斜面間に、粘性抵抗を発揮する油が塗布されていることを特徴とする請求項８又は９記載の光コネクタの挿入穴検査装置を提供する。
【０００８】
【発明の実施の形態】
以下、本発明の光コネクタの挿入穴検査装置を図面に示した実施形態に基づき説明する。本実施形態の挿入穴検査装置１０は、図１〜図３に示したように、基台２０に設けられる光コネクタ保持部３０と、ウエイト部材４０と、ウエイト部材用支持部５０と、作動部６０とを有して構成される。
【０００９】
光コネクタ保持部３０は、略直方体形状に形成された基台２０の上方に突出する支柱部３１と、アーム部材３２とを備えてなる。支柱部３１は、アーム部材３２を介して吊り下げられるウエイト部材４０を安定的に支持できるように設けられていればよく、その形状や太さは限定されるものではない。アーム部材３２は、支柱部３１によって支持され、本実施形態では、支柱部３２の上端に基端部３２ｄが固定されて支持され、基台２０において、支柱部３２の前方に配置されるウエイト部材用支持部５０の上方位置に向かって水平に延びるように設けられている。なお、アーム部材３２は支柱部３１と一体に形成されたものであってもよいことはもちろんであり、また、基台２０と支柱部３１も一体に形成されていてもよい。
【００１０】
アーム部材３２は、前端から奥行き方向に向かって切り込まれたスリット３２ａが設けられている。このスリット３２ａは、本実施形態のように、アーム部材３２として、２つの棒状部材３２ｂ，３２ｃを用い、それらを所定間隔をおいて対向配置することで形成してもよいし、所定幅の１つの棒状部材を前端から切り欠いて形成してもよい。いずれにしても、スリット３２ａは、検査対象となる光コネクタとしてのフェルール１００が、胴体部１０１と、胴体部１０１の後端に設けられ、外方に突出するフランジ部１０２とを備えて形成されているため（図５参照）、胴体部１０１の各側部に軸方向に沿って形成されるガイドピン挿入穴１００ｂ又は端面に貫通形成されるファイバ挿入穴１００ａの開口端を下方に向けた状態で、該胴体部１０１を横向きにして、すなわちガイドピン挿入穴１００ｂ又はファイバ挿入穴１００ａがスリット３２ａに沿って前後に一列に並ぶように挿入配置した際に、フランジ部１０２がスリット３２ａを形成する棒状部材３２ｂ，３２ｃに引っかかり、胴体部１０１の側面が棒状部材３２ｂ，３２ｃの内面に接触しない間隔で形成される。これにより、フェルール１００を宙吊り状態で垂直に支持できる。
【００１１】
ウエイト部材４０は、該ウエイト部材４０の中心線に沿って配置される軸体４１と、この軸体４１に支持される円筒状ウエイト４２，４３とを備えて構成される。軸体４１は、図４に示したような棒状部材からなり、上端中心位置には、上方に向かって垂直に突出するゲージピン４５が設けられている。
【００１２】
円筒状ウエイト４２，４３は、中心部に上記軸体４１が挿通される挿通孔がそれぞれ形成されており、軸体４１の周囲に着脱可能に配設される。軸体４１に配設可能な円筒状ウエイト４２，４３の数は、軸体４１の長さ及び円筒状ウエイト４２，４３の関係により任意に設定できるが、本実施形態では２つ配設可能に設けられており、配設数を調節することにより、検査時の重量を調整できるようになっている。
【００１３】
ここで、ゲージピン４５は、ガイドピン挿入穴の検査に用いる場合には、例えば、直径０．６９９０ｍｍ（直径精度±０．１μｍ）程度のものが用いられ、ファイバ挿入穴の検査に用いる場合には、直径０．１２５ｍｍ（直径精度±０．１μｍ）程度のものが用いられる。すなわち、ゲージピン４５としては、極めて高精度の直径を備えたものが使用される。このため、円筒状ウエイト４２，４３を軸体４１の周囲に装着する際に、ゲージピン４５が突設されている上端から挿入する構成とした場合には、ゲージピン４５に僅かでも接触することにより、ゲージピン４５の直径精度の低下をもたらす。従って、軸体４１及び円筒状ウエイト４２，４３は、相対的に該軸体４１の下端から該円筒状ウエイト４２，４３を挿入可能な構成とすることが好ましい。すなわち、円筒状ウエイト４２，４３を軸体４１の周囲に装着した際には、抜け止め用のストッパが必要となるが、このストッパは、円筒状ウエイト４２，４３の軸体４１への下端からの挿入を許容し、挿入後に、このストッパにより係合できる構成とすることが好ましい。
【００１４】
円筒状ウエイト４２，４３を軸体４１に装着する際に用いられるストッパは、上記機能を備える限り限定されるものではなく、どのような構成であってもよい。本実施形態では、軸体４１として、周面の一部を軸方向に沿って平坦状ないしは凹面状（以下、「平坦面４１ａ」）に形成すると共に、該軸体４１の下端寄りの適宜部位に該平坦面４１ａに連通する横溝４１ｂを形成し（図４（ｄ）参照）、下側に配置される円筒状ウエイト４３に、内周中空部に突出するストッパとしてのピン４３ａを設けた構成としている（図４（ａ），（ｃ），（ｄ）参照）。従って、軸体４１に装着する際には、まず、上側に配置される円筒状ウエイト４２を、軸体４１の下端から挿入し、次いで、下側に配置される円筒状ウエイト４３を、内周中空部に突出しているピン４３ａの周方向位置を軸体４１の平坦面４１ａに略対向するように位置合わせして軸体４１の下端から挿入する。そして、適宜位置に至ったら、該円筒状ウエイト４３を回転させ、軸体４１の横溝４１ｂに、ピン４３ａを係合させる構成としている。もちろん、これはあくまで一例であり、例えば、軸体４１の下端に軸方向に直交する方向にストッパとしてのピンを突出させ、円筒状ウエイト４２，４３に、該ピンの通過を許容する縦溝をその内周面に軸方向に沿って形成すると共に、内周面の下端付近には周方向に沿って前記縦溝に連通する横溝を形成し、円筒状ウエイト４２，４３を所定量挿入した時点で回転させると、ピンがこの横溝に挿入されて係合される構成とすることができる。
【００１５】
なお、ストッパによる軸体４１と円筒状ウエイト４２，４３の係合は、円筒状ウエイト４２，４３を複数支持させる場合、各円筒状ウエイト４２，４３のそれぞれが上記ストッパとしてのピンにより係合される構成とすることも可能であるが、最も下側に配置される円筒状ウエイトのみが係合される構成とすれば十分であり、これにより、他の円筒状ウエイトの構造（形状）を簡素化することができる。
【００１６】
ウエイト部材用支持部５０は、図１〜図３に示したように、板状体５１と、該板状体５１を支持する上下動軸５２とを備えて構成される。板状体５１は、上記した支柱部３１の前方に位置するように設けられる。板状体５１は、上面がウエイト部材４０の下面（下側に配置された円筒状ウエイト４３の下面）に接触可能となっている。上下動軸５２は、板状体５１の各側部付近に設けられ、一部が基台２０内に埋没支持され、上下に伸長可能に設けられる。
【００１７】
ウエイト部材用支持部５０の板状体５１には、上面に突出する２本の棒状ないしはピン状の部材からなる位置決め部材５１ａ，５１ｂが設けられている。この位置決め部材５１ａ，５１ｂは、板状体５１の後方寄りの位置で、互いに所定間隔をおいて配設されている。光コネクタとしてのフェルール１００は、ウエイト部材４０のゲージピン４５にガイドピン挿入穴又はファイバ挿入穴を挿入した状態で、ウエイト部材用支持部５０の板状体５１上で該ウエイト部材４０（円筒状ウエイト４３）の下面を滑らせながら、アーム部材３２のスリット３２ａ内に挿入配置する。上記した位置決め部材５１ａ，５１ｂは、このようにして配置する際に、作業者がウエイト部材４０の円筒状ウエイト４２，４３を該位置決め部材５１ａ，５１ｂの両方に当接するまで手前から押し込むだけで、フェルール１００の胴体部１０１の側面がスリット３２ａを形成している棒状部材３２ｂ，３２ｃの内面に接触せず、かつスリット３２ａの幅方向略中央部に位置するようにセットされるように機能するものである。従って、位置決め部材５１ａ，５１ｂの相互の間隔、並びに板状体５１における突設位置は、かかる機能を果たすことができるように設定される。
【００１８】
作動部６０は、図３に示したように、被動作体６１、動作体６２及び操作部６３を有して構成される。被動作体６１は、ウエイト部材用支持部５０を構成する板状体５１の下面に取り付けられ、該板状体５１の下方に突出する略台形状のブロック部材からなり、その下面は、前方から後方に向かうに従って、斜め上方に傾斜する傾斜面６１ａとして形成されている。動作体６２は、略三角形状のブロック部材６２ａを備えてなり、その傾斜面６２ｂを上側に向け、該傾斜面６２ｂが前方から後方に向かうに従って上方に傾斜するように配置される。そして、被動作体６１の傾斜面６１ａと動作体６２の傾斜面６２ｂ同士が摺接可能な角度で形成される。また、この略三角形状のブロック部材６２ａの前端部には、略直方体ないしは略立方体形状のブロック部材６２ｃが一体的に設けられている。ここで、基台２０においては、上記した支柱部３１の前方側に、基台２０の前後方向に沿って案内溝２１が刻設されており、動作体６２は、かかる案内溝２１内に上記のように傾斜面６２ｂを上側に向け収容される。
【００１９】
操作部６３は、一端が上記の略直方体ないしは略立方体形状のブロック部材６２ｃに連結され、他端が案内溝２１の前端壁に形成された貫通孔を介して外部に突出される連結棒６３ａと、該連結棒６３ａの他端に設けられる取っ手部６３ｂとを備えて構成される。すなわち、取っ手部６３ｂを把持して押し込むことにおり、連結棒６３ａに連結された略直方体ないし略立方体形状のブロック部材６２ｃが押し込まれ、これに伴って、動作体６２を構成する略三角形状のブロック部材６２ａが案内溝２１に沿って押し込まれる。
【００２０】
本実施形態において光コネクタとしてのフェルール１００のガイドピン挿入穴又はファイバ挿入穴を検査するに当たっては、まず、所定のウエイト部材４０を準備する。具体的には、所定径のゲージピン４５を備えた軸体４１を選択し、この軸体４１に所定の円筒状ウエイト４２，４３をセットする。この際、円筒状ウエイト４２，４３を軸体４１の下端から挿入配置することは上記したとおりである。
【００２１】
次に、操作部６３の取っ手部６３ｂを把持して手前に引く。これにより、動作体６２を構成する略三角形状のブロック部材６２ａが案内溝２１に沿って手前側に移動する。この際、略三角形状のブロック部材６２ａに形成された動作体６２の傾斜面６２ｂに対し、被動作体６１の傾斜面６１ａが摺接するため、動作体６２が手前側に移動するほど、両者の摺接面積が小さくなり、図２に示したように、被動作体６１と共にウエイト部材支持部５０を構成する板状体５１が上昇する。この状態で、フェルール１００のガイドピン挿入穴又は端面に貫通形成されるファイバ挿入穴の開口端を下方に向け、胴体部１０１を横向きにし、ウエイト部材４０（円筒状ウエイト４３）の下面を板状体５１の上面で滑らせるようにして、該フェルール１００をアーム部材３２のスリット３２ａ内に挿入する。この際、位置決め部材５１ａ，５１ｂに円筒状ウエイト４２，４３が当接するように操作することにより、フェルール１００のフランジ部１０２がスリット３２ａを形成する棒状部材３２ｂ，３２ｃに引っかかり、胴体部１０１の側面が棒状部材３２ｂ，３２ｃの内面に接触しないように、該フェルール１００を容易に宙吊り状態で支持できる。なお、動作体６２の略三角形状のブロック部材６２ａの頂部及び被動作体６１の頂部は、いずれも平坦に形成しておくことにより、頂部同士が接した時点で、ウエイト部材保持部５０の板状体５１の位置が安定的に保持されるため、ウエイト部材４０に支持したフェルール１００を容易にセットすることができる（図３参照）。
【００２２】
次に、操作部６３を押し込む。これにより、動作体６２が案内溝２１に沿って奥行き方向に移動するため、該動作体６２の傾斜面６２ｂに沿って、被動作体６１の傾斜面６１ａが摺接しつつ、下方に移動し、ウエイト部材支持部５０を下降させ、図１に示した状態となる。なお、動作体６２の傾斜面６２ｂと被動作体６１の傾斜面６１ａとの間に油を塗布しておくことにより、その粘性抵抗によって、被動作体６１がスムースに下降する。従って、この場合には、操作部６３を僅かに押し込めば、その後は、傾斜面６１ａ，６２ｂ同士が油の抵抗を受けつつ、ウエイト部材支持部５０の重量によってスムースに下降し、動作体６２も案内溝２１に沿って奥行き方向にスムースに移動する。
【００２３】
ウエイト部材支持部５０の板状体５１がウエイト部材４０から離間すると、該ウエイト部材４０は、ゲージピン４５が、宙吊り状態のフェルール１００の所定の挿入穴に挿入された状態で吊り下げ保持されるか、ゲージピン４５が挿入穴から離脱して落下する。これにより、フェルール１００に形成されたガイドピン挿入穴又はファイバ挿入穴の抜き差し時の抵抗である嵌合力が検査される。本実施形態によれば、フェルール１００を作業者が把持して嵌合力を検査するのではなく、基台２０に支持された光コネクタ保持部３０によって保持する構成であるため、フェルール１００は安定した姿勢で保持される。
【００２４】
なお、本発明は上記実施形態に限定されるものではないことはもちろんである。例えば、被動作体６１の傾斜面６１ａの傾斜方向及び動作体６２の傾斜面６２ｂの傾斜方向は、上記実施形態と逆の関係で形成することもできる。また、操作部６３を手前に引いたり、奥行き方向に押したりする操作は、手動ではなく、任意のアクチュエータを用いて電気的に自動で行う構成とすることもできる。
【００２５】
【発明の効果】
本発明の光コネクタの挿入穴検査装置は、人手ではなく、光コネクタ保持部によって光コネクタを保持できるため、ガイドピン挿入穴やファイバ挿入穴の抵抗（嵌合力）を検査する際の作業の容易化を図ることができる。また、光コネクタ保持部によって安定した姿勢で保持でき、さらに、一旦、ウエイト部材保持部でウエイト部材を支持させた後、該ウエイト部材保持部をウエイト部材から離間させる構成であるため、ウエイト部材の吊り下げ時の揺動がほとんどなく、嵌合力の検査精度を向上させることができる。また、ウエイト部材として円筒形ウエイトを用いると共に、ウエイト部材保持部の所定位置に位置決め部材を設けることにより、光コネクタの胴体部を、光コネクタを支持するスリット内に接することなく容易に支持させることができ、更なる検査精度の向上を図ることができる。
【図面の簡単な説明】
【図１】本発明の一の実施形態に係る光コネクタの挿入穴検査装置であって、ウエイト部材保持部が下降し、ウエイト部材から離間した状態を示す斜視図である。
【図２】上記実施形態に係る光コネクタの挿入穴検査装置であって、ウエイト部材保持部が上昇し、ウエイト部材に接している状態を示す斜視図である。
【図３】図２の断面斜視図である。
【図４】上記実施形態に係る光コネクタの挿入穴検査装置に用いたウエイト部材を示す図であって、（ａ）が斜視図を、（ｂ）が側面図を、（ｃ）が（ｂ）のＡ−Ａ線断面図を、（ｄ）が（ｃ）のＢ部拡大図をそれぞれ示す。
【図５】光コネクタとしてのフェルールを示す図である。
【符号の説明】
１０　光コネクタの挿入穴検査装置
２０　基台
２１　案内溝
３０　光コネクタ保持部
３１　支柱部
３２　アーム部材
３２ａ　スリット
４０　ウエイト部材
４１　軸体
４２，４３　円筒状ウエイト
４５　ゲージピン
５０　ウエイト部材用支持部
５１　板状体
５２　上下動軸
６０　作動部
６１　被動作体
６２　動作体
６３　操作部
１００　フェルール
１００ａ　ファイバ挿入穴
１００ｂ　ガイドピン挿入穴
１０１　胴体部
１０２　フランジ部
１１０　ガイドピン
１２０　クリップ
【図１】
2004144619.tif 000003
【図２】
2004144619.tif 000004
【図３】
2004144619.tif 000005
【図４】
2004144619.tif 000006
【図５】
2004144619.tif 000007